(57)【要約】【課題】広域の地図を見るときの利便性を高める。【解決手段】カーナビゲーション装置１は、外部メモリ７に記憶されている地図本に関する情報を検索し、位置検出器３により検出された現在位置に対応する地図が印刷されている頁を特定し、特定された頁を表す頁番号をディスプレイ９に表示する（図１では、地図本Ａ　２５頁）。ユーザは、表示された頁番号を見ることにより、現在位置に対応する地図が印刷されている所望の頁を速やかに確認することができる。【選択図】　図１
2004117516.tif 000002
【特許請求の範囲】
【請求項１】
表示手段を備えた表示装置であって、
現在位置を取得する現在位置取得手段と、
地図が複数の頁にわたって印刷されている地図本に関する情報を記憶する地図本情報記憶手段と、
前記地図本情報記憶手段に記憶されている地図本に関する情報を検索し、前記現在位置取得手段により取得された現在位置に対応する地図が印刷されている頁を特定し、特定された頁を表す頁番号を前記表示手段に表示させる制御手段とを備えたことを特徴とする表示装置。
【請求項２】
請求項１に記載した表示装置において、
前記制御手段は、前記現在位置取得手段により取得された現在位置に対応する地図が印刷されている頁内にあって当該現在位置に対応する区画を特定し、特定された区画を表す区画番号を前記表示手段に表示させることを特徴とする表示装置。
【請求項３】
請求項１または２に記載した表示装置において、
地図を記憶する地図記憶手段を備え、
前記制御手段は、前記地図記憶手段に記憶されている地図を検索し、前記現在位置取得手段により取得された現在位置に対応する地図を特定し、特定された地図を前記表示手段に表示させることを特徴とする表示装置。
【請求項４】
請求項３に記載した表示装置において、
前記制御手段は、地図本に印刷されている区画番号を表す区画番号マークを前記表示手段に表示させることを特徴とする表示装置。
【請求項５】
請求項３または４に記載した表示装置において、
前記制御手段は、前記現在位置取得手段により取得された現在位置を表す現在位置マークを地図に重合わせて前記表示手段に表示させることを特徴とする表示装置。
【請求項６】
請求項５に記載した表示装置において、
前記制御手段は、前記現在位置取得手段により取得される現在位置が時系列的に変化することに追従して、現在位置マークの表示位置を変化させることなく地図をスクロールさせて前記表示手段に表示させることを特徴とする表示装置。
【請求項７】
請求項５に記載した表示装置において、
前記制御手段は、前記現在位置取得手段により取得される現在位置が時系列的に変化することに追従して、地図をスクロールさせることなく現在位置マークの表示位置を変化させて前記表示手段に表示させることを特徴とする表示装置。
【請求項８】
請求項３ないし７のいずれかに記載した表示装置において、
ユーザが頁番号や区画番号を入力する操作を行うための操作手段を備え、
前記制御手段は、ユーザが頁番号や区画番号を入力する操作を前記操作手段にて行ったときに、前記地図記憶手段に記憶されている地図を検索し、入力された頁番号や区画番号に対応する地図を特定し、特定された地図を前記表示手段に表示させることを特徴とする表示装置。
【発明の詳細な説明】
【０００１】
【発明の属する技術分野】
本発明は、例えば自動車の車室内に設置されるもので、表示手段を備えた表示装置に関する。
【０００２】
【発明が解決しようとする課題】
カーナビゲーション装置は、位置検出器により検出された現在位置を表す現在位置マークを地図に重合わせてディスプレイに表示可能な構成となっており、ユーザは、地図に重合わされて表示された現在位置マークを見ることにより、地図上における現在位置を確認することができる。
【０００３】
ところで、カーナビゲーション装置のディスプレイは、自動車の車室内という限られた空間に設置されるという事情から、表示領域がある程度限られた構成となっている。そのため、広域の地図が表示されるときには、例えば細い道路や小さな施設が省略されるなど、詳細な部分が省略されて表示されるのが一般的である。
【０００４】
一方、地図が複数の頁にわたって印刷されている地図本が例えば出版会社などから数多く出版されており、ユーザにとっては、カーナビゲーション装置のディスプレイに表示される広域の地図を見るよりも、地図本に印刷されている広域の地図を見る方が、全体を確認し易いという場合がある。しかしながら、地図が複数の頁にわたって印刷されている地図本のみでは、現在位置を容易に把握することが困難であるので、現在位置に対応する地図が印刷されている所望の頁を速やかに確認することができない。
【０００５】
本発明は、上記した事情に鑑みてなされたものであり、その目的は、ユーザが広域の地図を見るときの利便性を高めることができる表示装置を提供することにある。
【０００６】
【課題を解決するための手段】
請求項１に記載した表示装置によれば、制御手段は、地図本情報記憶手段に記憶されている地図本に関する情報を検索し、現在位置取得手段により取得された現在位置に対応する地図が印刷されている頁を特定し、特定された頁を表す頁番号を表示手段に表示させる。これにより、ユーザは、現在位置に対応する地図が印刷されている頁を表す頁番号が表示されるので、表示された頁番号を見ることにより、現在位置に対応する地図が印刷されている所望の頁を速やかに確認することができ、広域の地図を見るときの利便性を高めることができる。
【０００７】
請求項２に記載した表示装置によれば、制御手段は、現在位置取得手段により取得された現在位置に対応する地図が印刷されている頁内にあって現在位置に対応する区画を特定し、特定された区画を表す区画番号を表示手段に表示させる。これにより、ユーザは、現在位置に対応する区画を表す区画番号が表示されるので、表示された区画番号を見ることにより、頁内にあって現在位置に対応する区画を速やかに確認することができ、広域の地図を見るときの利便性をより高めることができる。
【０００８】
請求項３に記載した表示装置によれば、制御手段は、地図記憶手段に記憶されている地図を記憶し、現在位置取得手段により取得された現在位置に対応する地図を特定し、特定された地図を表示手段に表示させる。これにより、ユーザは、現在位置に対応する地図が表示されるので、表示された地図を見ることにより、現在位置に対応する地図を確認することができる。
【０００９】
請求項４に記載した表示装置によれば、制御手段は、地図本に印刷されている区画番号を表す区画番号マークを表示手段に表示させる。これにより、ユーザは、地図本に印刷されている区画番号を表す区画番号マークが表示されるので、区画番号が表示されることにより、地図本に印刷されている地図を見るのと同じ格好で地図を見ることができる。
【００１０】
請求項５に記載した表示装置によれば、制御手段は、現在位置取得手段により取得された現在位置を表す現在位置マークを地図に重合わせて表示手段に表示させる。これにより、ユーザは、現在位置を表す現在位置マークが地図に重合わせて表示されるので、表示された現在位置マークを見ることにより、地図上における現在位置を速やかに確認することがきる。
【００１１】
請求項６に記載した表示装置によれば、制御手段は、現在位置取得手段により取得される現在位置が時系列的に変化すると、現在位置マークの表示位置を変化させることなく地図をスクロールさせて表示手段に表示させる。これにより、ユーザは、現在位置マークの表示位置が変化される代わりに、地図が時々刻々とスクロールされて表示されるのを見ることにより、現在位置が時系列的に変化する様子を確認することができる。
【００１２】
請求項７に記載した表示装置によれば、制御手段は、現在位置取得手段により取得される現在位置が時系列的に変化すると、地図をスクロールさせることなく現在位置マークの表示位置を変化させて表示手段に表示させる。これにより、ユーザは、地図がスクロールされる代わりに、現在位置マークの表示位置が時々刻々と変化されて表示されるのを見ることにより、現在位置が時系列的に変化する様子を確認することができる。
【００１３】
請求項８に記載した表示装置によれば、制御手段は、ユーザが頁番号や区画番号を入力する操作を操作手段にて行うと、地図記憶手段に記憶されている地図を検索し、入力された頁番号や区画番号に対応する地図を特定し、特定された地図を表示手段に表示させる。これにより、ユーザは、頁番号や区画番号を入力する操作を行うことにより、所望の頁に印刷されている地図を見ることができ、地図検索を行うことができる。
【００１４】
【発明の実施の形態】
（第１実施例）
以下、本発明の表示装置をカーナビゲーション装置に適用した第１実施例について、図１ないし図１２を参照して説明する。
まず、図１は、カーナビゲーション装置の全体の電気的な構成を機能ブロック図として示している。カーナビゲーション装置１は、制御回路２（本発明でいう制御手段）、位置検出器３（本発明でいう現在位置取得手段）、地図データ入力器４、操作スイッチ群５（本発明でいう操作手段）、車両データ入力器６、外部メモリ７（本発明でいう地図本情報記憶手段）、携帯電話機接続装置８、ディスプレイ９（本発明でいう表示手段）、スピーカ１０、外部情報受信装置１１、リモコンセンサ１２および操作リモコン１３（本発明でいう操作手段）を備えて構成されている。
【００１５】
制御回路２は、マイクロコンピュータを主体として構成され、カーナビゲーション装置１の動作全般を制御する機能を有している。位置検出器３は、地磁気センサ１４、ジャイロスコープ１５、距離センサ１６およびＧＰＳ受信機１７から構成され、これらの検出結果を相互補完して車両の現在位置を検出する。尚、位置検出器３は、要求される検出精度で現在位置を検出可能であれば、全ての構成要素を備える必要はなく、また、ステアリングホイールの回転センサや各タイヤの回転を検出する車輪センサなどが組合わされて構成されていても良い。
【００１６】
地図データ入力器４は、ＤＶＤ−ＲＯＭなどの情報記録媒体からなる地図ディスク１８（本発明でいう地図記憶手段）から地図データを読出す。尚、情報記録媒体としては、例えばＣＤ−ＲＯＭやメモリカードなどであっても良い。
操作スイッチ群５は、ディスプレイ９の周辺に配置されたメカニカルスイッチやディスプレイ９上に形成されたタッチスイッチなどから構成され、後述する外部メモリ７に記憶されている複数の地図本のうちのいずれかを選択するために使用される。
【００１７】
車両データ入力器６は、車両側から各種データを入力する。外部メモリ７は、カーナビゲーション装置１に対して着脱可能なフラッシュメモリカードなどにより構成され、複数の地図本の各々の地図本に関する情報を記憶している。この場合、地図本に関する情報とは、各頁に印刷されている地図の範囲と緯度および経度との対応である。尚、図１では、外部メモリ７が「地図本Ａ」、「地図本Ｂ」および「地図本Ｃ」の３冊の地図本に関する情報が記憶されている場合を示している。
【００１８】
携帯電話機接続装置８は、携帯電話機１９を接続可能に構成されている。ディスプレイ９は、車両の運転席近傍に設置され、車両の現在位置を表す現在位置マークを地図に重合わせて表示したり、現在位置から目的地に至るまでの経路を地図に重合わせて表示したりする。スピーカ１０は、経路案内などのための音声を出力する。
【００１９】
外部情報受信装置１１は、外部からＶＩＣＳ情報などを受信して制御回路２に出力する。リモコンセンサ１２は、操作リモコン１３からの操作信号を電波により受信して制御回路２に出力する。この場合、操作リモコン１３は、上記した操作スイッチ群５と同様にして、外部メモリ７に記憶されている複数の地図本のうちのいずれかを選択するために使用される。
【００２０】
次に、上記した構成の作用について、図２ないし図１２を参照して説明する。尚、ここでは、制御回路２が行う処理として、
（１）現在位置に対応する地図が印刷されている頁の頁番号および現在位置に対応する区画の区画番号を表示させる処理
（２）現在位置が時系列的に変化することに追従して現在位置マークを表示させる処理
（３）ユーザにより入力された頁番号に対応する地図を表示させる処理
について順次説明する。
【００２１】
（１）現在位置に対応する地図が印刷されている頁の頁番号および現在位置に対応する区画の区画番号を表示させる処理
まず、現在位置に対応する地図が印刷されている頁の頁番号および現在位置に対応する区画の区画番号を表示させる処理について、図２ないし図４を参照して説明する。
制御回路２は、複数の地図本のうちからユーザにより予め選択されている地図本を識別する（ステップＳ１）。この場合、ユーザは、予め操作スイッチ群５や操作リモコン１３を操作することにより、「地図本Ａ」、「地図本Ｂ」および「地図本Ｃ」のうちからいずれかを選択している。
【００２２】
次いで、制御回路２は、位置検出器３により検出された現在位置の緯度および経度を識別する（ステップＳ２）。そして、制御回路２は、外部メモリ７に記憶されている複数の地図本のうちから選択された地図本に関する情報を検索し（ステップＳ３）、先に識別された現在位置の緯度および経度に基づいて、現在位置に対応する地図が印刷されている頁を特定し（ステップＳ４）、現在位置に対応する区画を特定する（ステップＳ５）。
【００２３】
次いで、制御回路２は、地図ディスク１８に記憶されている地図データを検索し（ステップＳ６）、先に識別された現在位置の緯度および経度に基づいて、地図ディスク１８から現在位置に対応する地図データを地図データ入力器４により読出させ（ステップＳ７）、読出された地図データを地図データ入力器４から入力する（ステップＳ８）。このとき、制御回路２は、地図本の１頁あたりの容量の地図データを地図ディスク１８から読出させる。
【００２４】
次いで、制御回路２は、図３に示すように、現在位置を表す現在位置マーク（図３中Ａ参照）を、地図データ入力器４により読出された地図データの地図に重合わせてディスプレイ９に表示させる（ステップＳ９）。このとき、制御回路２は、現在位置マークを表示画面の中央に位置するようにディスプレイ９に表示させる。
【００２５】
また、制御回路２は、区画番号を表す区画番号マーク（図３では例えば「１」〜「７」の横方向の帯状のマークおよび「Ａ」〜「Ｇ」の縦方向の帯状のマーク）を表示領域の上端および左端に表示させる（ステップＳ１０）。さらに、制御回路２は、先に特定された頁を表す頁番号および区画を表す区画番号を表示領域の下側に表示させる（ステップＳ１１）。具体的に説明すると、制御回路２は、現在位置が地図本Ａの２５頁に印刷されている地図の４Ｄ区画であるときには、図３に示すように、「地図本Ａ　２５頁　４Ｄ区画」という表示情報を表示させる。
【００２６】
以上に説明した処理により、ユーザは、現在位置に対応する地図が印刷されている頁を表す頁番号が表示されるので、表示された頁番号を見ることにより、現在位置に対応する所望の頁を速やかに確認することができる。また、ユーザは、現在位置に対応する区画を表す区画番号が表示されるので、表示された区画番号を見ることにより、頁内にあって現在位置に対応する区画を速やかに確認することができる。
【００２７】
また、ユーザは、現在位置に対応する地図が表示されるので、表示された地図を見ることにより、現在位置に対応する地図を確認することができる。また、ユーザは、区画番号マークが表示されるので、区画番号が表示されることにより、地図本に印刷されている地図を見るのと同じ格好で地図を見ることができる。さらに、ユーザは、現在位置を表す現在位置マークが地図に重合わせて表示されるので、表示された現在位置マークを見ることにより、地図上における現在位置を速やかに確認することがきる。
【００２８】
ところで、以上は、現在位置に対応する地図が印刷されている頁を表す頁番号および現在位置に対応する区画を表す区画番号に加えて、現在位置に対応する地図や区画番号マークや現在位置マークも表示される構成を説明したものであるが、図４に示すように、頁番号および区画番号のみが表示される構成であっても良い。また、頁番号のみが表示される構成であっても良い。
【００２９】
（２）現在位置が時系列的に変化することに追従して現在位置マークを表示させ
る処理
次に、現在位置が時系列的に変化することに追従して現在位置マークを表示させる処理について、図５ないし図９を参照して説明する。尚、ここでは、地図本の１頁あたりの容量が、東西方向の「１」〜「１０」の区画と南北方向の「Ａ」〜「Ｊ」の区画とからなる範囲に相当すること前提として説明する。
制御回路２は、現在位置が変化したことを検出すると（ステップＳ２１にて「ＹＥＳ」）、新たに検出された現在位置が、その時点でディスプレイ９に表示されている地図と同じ頁内であるか否かを判定する（ステップＳ２２）。そして、制御回路２は、新たに検出された現在位置が、その時点でディスプレイ９に表示されている地図と同じ頁内である旨を判定すると（ステップＳ２２にて「ＹＥＳ」）、現在位置マークを中央に表示させることを前提として地図をスクロール可能であるか否かを判定する（ステップＳ２３）。
【００３０】
ここで、制御回路２は、地図をスクロール可能である旨を判定すると（ステップＳ２３にて「ＹＥＳ」）、現在位置マークの表示位置を変化させることなく地図をスクロールさせてディスプレイ９に表示させる（ステップＳ２４）。
【００３１】
具体的に説明すると、制御回路２は、図３に示した状況、つまり、現在位置が地図本Ａの２５頁に印刷されている地図の４Ｄ区画に対応している状況から、現在位置が東方向（図３中右方向）に変化し、現在位置が地図本Ａの２５頁に印刷されている地図の７Ｄ区画に移動すると、この場合は、地図をスクロール可能であると判定し、図６に示すように、現在位置マークの表示位置を変化させることなく地図をスクロールさせてディスプレイ９に表示させる。つまり、この場合は、地図がスクロールされるので、区画番号マークの表示もスクロールされる。
【００３２】
これに対して、制御回路２は、地図をスクロール不可能である旨を判定すると（ステップＳ２３にて「ＮＯ」）、地図をスクロールさせることなく現在位置マークの表示位置を変化させてディスプレイ９に表示させる（ステップＳ２５）。
【００３３】
具体的に説明すると、制御回路２は、図６に示した状況、つまり、現在位置が地図本Ａの２５頁に印刷されている地図の７Ｄ区画に対応している状況から、現在位置がさらに東方向（図６中右方向）に変化し、現在位置が地図本Ａの２５頁に印刷されている地図の１０Ｆ区画に移動すると、この場合は、地図をスクロール不可能であると判定し、図７に示すように、地図をスクロールさせることなく現在位置マークの表示位置を変化させてディスプレイ９に表示させる。つまり、この場合は、地図がスクロールされないので、区画番号マークの表示もスクロールされない。
【００３４】
また、制御回路２は、新たに検出された現在位置が、その時点でディスプレイ９に表示されている地図と異なる頁内である旨を判定すると（ステップＳ２２にて「ＮＯ」）、地図ディスク１８から新たに検出された現在位置に対応する地図が印刷されている頁の地図データを地図データ入力器４により読出させ（ステップＳ２６）、読出された地図データを地図データ入力器４から入力し（ステップＳ２７）、新たに検出された現在位置を表す現在位置マークを、地図データ入力器４により読出された地図データの地図に重合わせてディスプレイ９に表示させる（ステップＳ２８）。
【００３５】
具体的に説明すると、制御回路２は、図７に示した状況、つまり、現在位置が地図本Ａの２５頁に印刷されている地図の１０Ｆ区画に対応している状況から、現在位置がさらに東方向（図７中右方向）に変化し、現在位置が地図本Ａの２６頁に印刷されている地図の２Ｆ区画に移動すると、地図ディスク１８から新たに検出された現在位置に対応する地図が印刷されている頁の地図データを地図データ入力器４により読出させ、読出された地図データを地図データ入力器４から入力し、新たに検出された現在位置を表す現在位置マークを、地図データ入力器４により読出された地図データの地図に重合わせてディスプレイ９に表示させる。
【００３６】
以上に説明した処理により、ユーザは、現在位置が時系列的に変化することに追従して、現在位置マークの表示位置が変化されることなく地図がスクロールさせて表示されたり、これとは反対に、地図がスクロールされることなく現在位置マークの表示位置が変化されて表示されたりすることにより、現在位置が時系列的に変化する様子を確認することができる。
【００３７】
ところで、以上は、現在位置が東西方向に変化した場合を説明したものであるが、現在位置が南北方向に変化した場合も、図９に示すように、これと同様の処理を行う。この場合は、地図がスクロールされて表示されるときには、南北方向の区画番号マークがスクロールされる。また、現在位置が東西方向と南北方向との双方に同時に変化した場合に、地図がスクロールされて表示されるときには、東西方向の区画番号マークと南北方向の区画番号マークとの双方がスクロールされる。
【００３８】
（３）ユーザにより入力された頁番号に対応する地図を表示させる処理
次に、ユーザにより入力された頁番号に対応する地図を表示させる処理について、図１０ないし図１２を参照して説明する。
制御回路２は、図１１に示すような、検索画面をディスプレイ９に表示させる（ステップＳ３１）。この場合、ユーザは、地図本の種類を選択すると共に、頁番号を入力する。そして、制御回路２は、地図本の種類が選択されると共に、頁番号が入力されたことを検出すると（ステップＳ３２にて「ＹＥＳ」）、地図ディスク１８に記憶されている地図データを検索し（ステップＳ３３）、入力された頁番号に対応する地図データを地図ディスク１８から地図データ入力器４により読出させ（ステップＳ３４）、読出された地図データを地図データ入力器４から入力する（ステップＳ３５）。
【００３９】
そして、制御回路２は、図１２に示すように、地図データの地図をディスプレイ９に表示させる（ステップＳ３６）。尚、図１２では、一例として、地図本の種類として地図本Ｂが選択され、頁番号として１０５頁が入力された場合を示している。
【００４０】
以上に説明した処理により、ユーザは、地図本を選択し、頁番号を入力する操作を行うことにより、所望の頁に印刷されている地図を見ることができ、地図検索を行うことができる。
ところで、以上は、頁番号のみが入力される場合を説明したものであるが、頁番号と共に区画番号も入力される構成であっても良い。
【００４１】
以上に説明したように第１実施例によれば、カーナビゲーション装置１において、外部メモリ７に記憶されている地図本に関する情報を検索し、位置検出器３により検出された現在位置に対応する地図が印刷されている頁を特定し、特定された頁を表す頁番号をディスプレイ９に表示するように構成したので、ユーザは、表示された頁番号を見ることにより、現在位置に対応する地図が印刷されている所望の頁を速やかに確認することができ、広域の地図を見るときの利便性を高めることができる。
【００４２】
また、カーナビゲーション装置１において、位置検出器３により検出された現在位置に対応する地図が印刷されている頁内にあって現在位置に対応する区画を特定し、特定された区画を表す区画番号をもディスプレイ９に表示するように構成したので、ユーザは、表示された区画番号を見ることにより、頁内にあって現在位置に対応する区画を速やかに確認することができ、広域の地図を見るときの利便性をより高めることができる。
【００４３】
また、カーナビゲーション装置１において、位置検出器３により検出された現在位置に対応する地図を特定し、特定された地図をもディスプレイ９に表示するように構成したので、ユーザは、表示された地図を見ることにより、現在位置に対応する地図を確認することができる。
【００４４】
また、カーナビゲーション装置１において、地図本に印刷されている区画番号を表す区画番号マークをもディスプレイ９に表示するように構成したので、区画番号が表示されることにより、地図本に印刷されている地図を見るのと同じ格好で地図を見ることができる。
【００４５】
また、カーナビゲーション装置１において、位置検出器３により検出された現在位置を表す現在位置マークを地図に重合わせてディスプレイ９に表示するように構成したので、ユーザは、表示された現在位置マークを見ることにより、地図上における現在位置を速やかに確認することがきる。
【００４６】
また、カーナビゲーション装置１において、位置検出器３により検出される現在位置が時系列的に変化することに追従して、現在位置マークの表示位置を変化させることなく地図をスクロールさせてディスプレイ９に表示したり、地図をスクロールさせることなく現在位置マークの表示位置を変化させてディスプレイ９に表示したりするように構成したので、ユーザは、これら地図が時々刻々とスクロールされて表示されるのを見たり、現在位置マークが時々刻々と変化されて表示されるのを見たりすることにより、現在位置が時系列的に変化する様子を確認することができる。
【００４７】
さらに、カーナビゲーション装置１において、地図本の種類を選択し、頁番号を入力する操作が行われると、選択された地図本の入力された頁番号に対応する地図を特定し、特定された地図をディスプレイ９に表示するように構成したので、ユーザは、地図本の種類を選択し、頁番号を入力する操作を行うことにより、所望の頁に印刷されている地図を見ることができ、地図検索を行うことができる。
【００４８】
（第２実施例）
次に、本発明の第２実施例について、図１３を参照して説明する。尚、上記した第１実施例と同一部分については説明を省略し、異なる部分について説明する。上記した第１実施例は、カーナビゲーション装置に適用したものであるが、この第２実施例は、カーナビゲーション装置よりも簡単な構成の表示装置に適用したものである。
【００４９】
図１３は、表示装置の電気的な構成を機能ブロック図として示している。表示装置２１は、制御回路２２（本発明でいう制御手段）、ＧＰＳ受信機２３（本発明でいう現在位置取得手段）、選択スイッチ２４、メモリ２５（本発明でいう記憶手段）およびディスプレイ２６（本発明でいう表示手段）を備えて構成されている。
【００５０】
制御回路２２は、マイクロコンピュータを主体として構成され、表示装置２１の動作全般を制御する。ＧＰＳ受信機２３は、上記した第１実施例で説明した位置検出器３に相当するもので、ＧＰＳ衛星から受信されたＧＰＳ電波から必要なパラメータを抽出して演算し、現在位置を検出する。
【００５１】
メモリ２５は、上記した第１実施例で説明した外部メモリ７に相当するもので、「地図本Ａ」、「地図本Ｂ」および「地図本Ｃ」の３冊の地図本の各々の地図本に関する情報を記憶している。選択スイッチ４は、メモリ２５に記憶されている複数の地図本のうちのいずれかを選択するために使用される。
【００５２】
このように構成された表示装置２１において、制御回路２２は、ＧＰＳ受信機２３により検出された現在位置の緯度および経度を識別し、メモリ２５に記憶されている複数の地図本のうちから選択された地図本に関する情報を検索し、先に識別された現在位置の緯度および経度に基づいて、現在位置に対応する地図が印刷されている頁を特定し、現在位置に対応する区画を特定する。そして、制御回路２２は、特定された頁を表す頁番号および区画を表す区画番号をディスプレイ２６に表示させる。
【００５３】
以上に説明したように第２実施例によれば、表示装置２１において、メモリ２５に記憶されている地図本に関する情報を検索し、ＧＰＳ受信機２３により検出された現在位置に対応する地図が印刷されている頁を特定し、特定された頁を表す頁番号をディスプレイ２６に表示するように構成したので、上記した第１実施例に記載したものと同様にして、ユーザは、表示された頁番号を見ることにより、現在位置に対応する地図が印刷されている所望の頁を速やかに確認することができ、広域の地図を見るときの利便性を高めることができる。
【００５４】
（その他の実施例）
本発明は、上記した実施例にのみ限定されるものではなく、以下のように変形または拡張することができる。
路側に設置されている路側アンテナから位置情報を受信して現在位置を検出する構成であっても良い。
緯度および経度をカーナビゲーション装置や表示装置に入力し、入力された緯度および経度に対応する地図を表示することにより、地図検索を行うように構成しても良い。
【図面の簡単な説明】
【図１】本発明の第１実施例を示す機能ブロック図
【図２】フローチャート
【図３】表示の一例を示す図
【図４】図３相当図
【図５】図２相当図
【図６】図３相当図
【図７】図３相当図
【図８】図３相当図
【図９】図３相当図
【図１０】図２相当図
【図１１】図３相当図
【図１２】図３相当図
【図１３】本発明の第２実施例を示す機能ブロック図
【符号の説明】
図面中、１はカーナビゲーション装置（表示装置）、２は制御回路（制御手段）、３は位置検出器（現在位置取得手段）、５は操作スイッチ群（操作手段）、７は外部メモリ（地図本情報記憶手段）、９はディスプレイ（表示手段）、１３は操作リモコン（操作手段）、１８は地図ディスク（地図記憶手段）、２１は表示装置、２２は制御回路（制御手段）、２３はＧＰＳ受信機（現在位置取得手段）、２５はメモリ（地図本情報記憶手段）、２６はディスプレイ（表示手段）である。
【図１】
2004117516.tif 000003
【図２】
2004117516.tif 000004
【図３】
2004117516.tif 000005
【図４】
2004117516.tif 000006
【図５】
2004117516.tif 000007
【図６】
2004117516.tif 000008
【図７】
2004117516.tif 000009
【図８】
2004117516.tif 000010
【図９】
2004117516.tif 000011
【図１０】
2004117516.tif 000012
【図１１】
2004117516.tif 000013
【図１２】
2004117516.tif 000014
【図１３】
2004117516.tif 000015